(57)【要約】【課題】分配系に障害が発生しても、デジタル放送信号の系統切り替えを行い得る分配・バイパス切替装置を提供する。【解決手段】分配系１２をバイパスさせるバイパス経路１７,１８を用いて、入力切替器１１及びバイパス切替器１３により入力されるデジタル放送信号を分配系１２、バイパス経路１７,１８へ選択的に導出し、出力切替器１４により分配系１２で分配された１系のデジタル放送信号とバイパス経路１７を通過した１系のデジタル放送信号とを選択的に後段の系統切替装置１５に出力し、出力切替器１６により分配系１２で分配された２系のデジタル放送信号とバイパス経路１８を通過した２系のデジタル放送信号とを選択的に後段の系統切替装置１５に出力するようにしている。【選択図】      図１
2007028317.tif 000002
【特許請求の範囲】
【請求項１】
分配器により分配された第１系及び第２系のデジタル放送信号を系統切替装置により選択的に導出するデジタル放送信号送出システムに用いられ、
前記分配器に入力されるデジタル放送信号を前記第１系のデジタル放送信号として前記分配器をバイパスさせる第１のバイパス経路と、
前記分配器に入力されるデジタル放送信号を前記第２系のデジタル放送信号として前記分配器をバイパスさせる第２のバイパス経路と、
前記デジタル放送信号を前記分配器、前記第１のバイパス経路及び第２のバイパス経路へ選択的に導出する入力切替手段と、
前記分配器により分配された第１系のデジタル放送信号と、前記第１のバイパス経路を通過した第１系のデジタル放送信号とを前記系統切替装置に選択的に出力する第１の出力切替手段と、
前記分配器により分配された第２系のデジタル放送信号と、前記第２のバイパス経路を通過した第２系のデジタル放送信号とを前記系統切替装置に選択的に出力する第２の出力切替手段と、
ユーザの指定操作に応じて、前記分配器、前記第１及び第２のバイパス経路のいずれか１つを選択するように前記入力切替器、第１及び第２の出力切替器を切替制御する切替制御手段とを具備したことを特徴とする分配・バイパス切替装置。
【請求項２】
さらに、前記分配器の障害を検出する障害検出手段と、
この障害検出手段で前記分配器の障害が検出された場合に、その旨をユーザに報知する報知手段とを備え、
前記切替制御手段は、前記報知手段による報知に対しユーザが前記第１及び第２のバイパス経路への切替指定操作を行なった場合に、前記入力切替手段、第１及び第２の出力切替手段を切替制御することを特徴とする請求項１記載の分配・バイパス切替装置。
【請求項３】
分配器により分配された第１系及び第２系のデジタル放送信号を系統切替装置により選択的に導出するデジタル放送信号送出システムに用いられ、
前記分配器に入力されるデジタル放送信号を前記第１系のデジタル放送信号として前記分配器をバイパスさせる第１のバイパス経路と、
前記分配器に入力されるデジタル放送信号を前記第２系のデジタル放送信号として前記分配器をバイパスさせる第２のバイパス経路と、
前記デジタル放送信号を前記分配器、前記第１のバイパス経路及び第２のバイパス経路へ選択的に導出する入力切替手段と、
前記分配器により分配された第１系のデジタル放送信号と、前記第１のバイパス経路を通過した第１系のデジタル放送信号とを前記系統切替装置に選択的に出力する第１の出力切替手段と、
前記分配器により分配された第２系のデジタル放送信号と、前記第２のバイパス経路を通過した第２系のデジタル放送信号とを前記系統切替装置に選択的に出力する第２の出力切替手段と、
前記分配器の障害を検出する障害検出手段と、
この障害検出手段により前記分配器の障害が検出された場合に、前記系統切替装置から切り替えられている系統を示す系統情報を取得する取得手段と、
この取得手段により取得された系統情報に基づいて、前記第１及び第２のバイパス経路のいずれか１つを選択するように前記入力切替器、第１及び第２の出力切替器を切替制御する切替制御手段とを具備したことを特徴とする分配・バイパス切替装置。
【発明の詳細な説明】
【技術分野】
【０００１】
この発明は、例えば放送局等に使用され、１系統の入力信号を分配して二重化システムを構築している場合に、後段システムへの影響を低減する分配・バイパス切替装置に関する。
【背景技術】
【０００２】
従来より、放送送出設備にあっては、機器の故障対策及び保守のために、現用・予備の二重化構成とすることが一般的となっている（例えば、特許文献１）。また、二重化システムにあっては、分配系により１つの信号を現用・予備に分配するものもある。
【０００３】
ところで、上記二重化システムにおいて、現用系に障害が発生すると後段で予備系に切り替えられるが、分配系の障害では各系への入力信号が途切れるため、系統切り替えが行なわれても障害を回避できない。
【０００４】
そこで、アナログ放送では、入力インピーダンスを高くした分配系を各系統ごとに用意し、それらを並列につないで信号を分配する方法が考えられている。
【特許文献１】特開２００１−２１７７５３号公報。
【発明の開示】
【発明が解決しようとする課題】
【０００５】
しかし、デジタル放送では、分配系を各系統ごとに用意し、それらを並列につないだとしても、各分配系における信号間の遅延及び位相が少しでもずれていると、後段での系統切り替えの前後で信号に不連続が生じてしまい、切替出力の信号品質が劣化してしまう。
【０００６】
そこで、この発明の目的は、分配系に障害が発生しても、デジタル放送信号の系統切り替えを行い得る分配・バイパス切替装置を提供することにある。
【課題を解決するための手段】
【０００７】
この発明は、上記目的を達成するために、以下のように構成される。  
分配器により分配された第１系及び第２系のデジタル放送信号を系統切替装置により選択的に導出するデジタル放送信号送出システムに用いられ、分配器に入力されるデジタル放送信号を第１系のデジタル放送信号として分配器をバイパスさせる第１のバイパス経路と、分配器に入力されるデジタル放送信号を第２系のデジタル放送信号として分配器をバイパスさせる第２のバイパス経路と、デジタル放送信号を分配器、第１のバイパス経路及び第２のバイパス経路へ選択的に導出する入力切替手段と、分配器により分配された第１系のデジタル放送信号と、第１のバイパス経路を通過した第１系のデジタル放送信号とを系統切替装置に選択的に出力する第１の出力切替手段と、分配器により分配された第２系のデジタル放送信号と、第２のバイパス経路を通過した第２系のデジタル放送信号とを系統切替装置に選択的に出力する第２の出力切替手段と、ユーザの指定操作に応じて、分配器、第１及び第２のバイパス経路のいずれか１つを選択するように入力切替器、第１及び第２の出力切替器を切替制御する切替制御手段とを備えるようにしたものである。
【０００８】
この構成によれば、分配器をバイパスさせる第１及び第２のバイパス経路を用いて、入力切替器により入力されるデジタル放送信号を分配器、第１及び第２のバイパス経路へ選択的に導出し、第１の出力切替器により分配器で分配された第１系のデジタル放送信号と第１のバイパス経路を通過した第１系のデジタル放送信号とを選択的に後段の系統切替装置に出力し、第２の出力切替器により分配器で分配された第２系のデジタル放送信号と第２のバイパス経路を通過した第２系のデジタル放送信号とを選択的に後段の系統切替装置に出力するように構成している。
【０００９】
従って、分配器の障害発生時における系統切替装置への第１系及び第２系のデジタル放送信号の伝送路を確保することができ、これにより系統切替装置にてデジタル放送信号の系統切り替えを行うことができる。
【００１０】
さらに、分配器の障害を検出する障害検出手段と、この障害検出手段で分配器の障害が検出された場合に、その旨をユーザに報知する報知手段とを備え、切替制御手段は、報知手段による報知に対しユーザが第１及び第２のバイパス経路への切替指定操作を行なった場合に、入力切替手段、第１及び第２の出力切替手段を切替制御することを特徴とする。
【００１１】
この構成によれば、分配器に障害が発生するごとにユーザが自身で第１及び第２のバイパス経路への切替操作を行なうことができる。
【００１２】
分配器により分配された第１系及び第２系のデジタル放送信号を系統切替装置により選択的に導出するデジタル放送信号送出システムに用いられ、分配器に入力されるデジタル放送信号を第１系のデジタル放送信号として分配器をバイパスさせる第１のバイパス経路と、分配器に入力されるデジタル放送信号を第２系のデジタル放送信号として分配器をバイパスさせる第２のバイパス経路と、デジタル放送信号を分配器、第１のバイパス経路及び第２のバイパス経路へ選択的に導出する入力切替手段と、分配器により分配された第１系のデジタル放送信号と、第１のバイパス経路を通過した第１系のデジタル放送信号とを系統切替装置に選択的に出力する第１の出力切替手段と、分配器により分配された第２系のデジタル放送信号と、第２のバイパス経路を通過した第２系のデジタル放送信号とを系統切替装置に選択的に出力する第２の出力切替手段と、分配器の障害を検出する障害検出手段と、この障害検出手段により分配器の障害が検出された場合に、系統切替装置から切り替えられている系統を示す系統情報を取得する取得手段と、この取得手段により取得された系統情報に基づいて、第１及び第２のバイパス経路のいずれか１つを選択するように入力切替器、第１及び第２の出力切替器を切替制御する切替制御手段とを備えるようにしたものである。
【００１３】
この構成によれば、分配器の障害発生時に、系統切替装置にて送出中の系統を示す情報が取得され、この情報をもとに第１及び第２のバイパス経路の１つを選択するように自動的に入力切替器、第１及び第２の出力切替器の切替制御が行われる。従って、近くにユーザが常駐しない場合でも、分配器に障害が発生した時に、系統切替装置におけるデジタル放送信号の系統切り替えを継続して行うことができる。
【発明の効果】
【００１４】
以上詳述したようにこの発明によれば、分配系に障害が発生しても、デジタル放送信号の系統切り替えを行い得る分配・バイパス切替装置を提供することができる。
【発明を実施するための最良の形態】
【００１５】
以下、この発明の実施形態について図面を参照して詳細に説明する。  
（第１の実施形態）  
図１は、この発明の第１の実施形態に係わる分配・バイパス切替装置が適用されるデジタル放送信号送出システムの構成を示すブロック図である。
【００１６】
この分配・バイパス切替装置では、デジタル放送信号が入力され、入力切替器１１によって、分配系１２及びバイパス切替器１３に選択的に導出される。分配系１２に入力されたデジタル放送信号は、１系と２系とに分配される。このうち１系のデジタル放送信号は、出力切替器１４を介して系統切替装置１５に入力される。また、２系のデジタル放送信号は、出力切替器１６を介して系統切替装置１５に入力される。系統切替装置１５は、系統切替信号に応じて１系から２系、または２系から１系に切り替えるものである。
【００１７】
一方、バイパス切替器１３は、入力切替器１１により導出されたデジタル放送信号を、バイパス経路１７,１８に選択的に導出するものである。バイパス経路１７を通過した１系としてのデジタル放送信号は、出力切替器１４によって、系統切替装置１５に導出される。また、バイパス経路１８を通過した２系としてのデジタル放送信号は、出力切替器１６によって、系統切替装置１５に導出される。
【００１８】
上記入力切替器１１、バイパス切替器１３、出力切替器１４,１６は、切替制御器１９によって切替制御される。
【００１９】
また、上記分配系１２は、障害が発生すると、その旨のメッセージをモニタ２０に表示させる。
【００２０】
次に、上記構成における動作について説明する。  
いま、出力切替器１４によって、分配系１２により分配される第１系のデジタル放送信号が系統切替装置１５に導出され、出力切替器１６によって、分配系１２により分配される第２系のデジタル放送信号が系統切替装置１５に導出されているものとする。
【００２１】
そして、系統切替装置１５では、１系のデジタル放送信号に切り替えているものとする。
【００２２】
ここで、分配系１２に障害が発生したとする。そうすると、障害発生の旨のメッセージを分配系１２からモニタ２０に供給して表示させる。従って、この表示により運用者（ユーザ）は分配系１２に障害が発生している旨を知ることができる。
【００２３】
この状態で運用者が、バイパス経路１７を選択するべく入力部（図示せず）において切替指示を入力したとする。そうすると、切替制御器１９は、図２に示すように、バイパス経路１７を選択するように、上記入力切替器１１、バイパス切替器１３、出力切替器１４,１６を切替制御する。
【００２４】
一方、系統切替装置１５が２系のデジタル放送信号を出力している状態で、分配系１２に障害が発生した場合には、切替制御器１９は、図３に示すように、運用者からの切替指示に応じて、バイパス経路１８を選択するように、上記入力切替器１１、バイパス切替器１３、出力切替器１４，１６を切替制御する。
【００２５】
以上のように上記第１の実施形態では、分配系１２をバイパスさせるバイパス経路１７,１８を用いて、入力切替器１１及びバイパス切替器１３により入力されるデジタル放送信号を分配系１２、バイパス経路１７,１８へ選択的に導出し、出力切替器１４により分配系１２で分配された１系のデジタル放送信号とバイパス経路１７を通過した１系のデジタル放送信号とを選択的に後段の系統切替装置１５に出力し、出力切替器１６により分配系１２で分配された２系のデジタル放送信号とバイパス経路１８を通過した２系のデジタル放送信号とを選択的に後段の系統切替装置１５に出力するようにしている。
【００２６】
従って、分配系１２の障害発生時における系統切替装置１５への１系及び２系のデジタル放送信号の伝送路を確保することができ、これにより系統切替装置１５にてデジタル放送信号の系統切り替えを行うことができる。
【００２７】
また、上記第１の実施形態では、分配系１２に障害が発生するごとに、その障害発生の旨がモニタ２０に表示するようにしているので、運用者が自身でバイパス経路１７,１８への切替操作を行なうことができる。
【００２８】
（第２の実施形態）  
図４は、この発明の第２の実施形態に係わる分配・バイパス切替装置が適用されるデジタル放送信号送出システムの構成を示すブロック図である。なお、図４において、上記図１と同一部分には同一符号を付して詳細な説明を省略する。
【００２９】
すなわち、障害検出器２１により分配系１２の障害発生を検出し、この検出結果を切替制御器２２に通知する。すると、切替制御器２２は、系統切替装置１５から送出中の系統「１系」を示す情報を取得し、この取得した情報に基づいて、バイパス経路１７を選択するように、上記入力切替器１１、バイパス切替器１３、出力切替器１４，１６を切替制御する。
【００３０】
以上のように上記第２の実施形態では、分配系１２の障害発生が障害検出器２１によって検出されて、その検出結果が切替制御器２２に通知される。そして、切替制御器２２では、通知された検出結果から分配系１２の障害発生を認識し、系統切替装置１５から送出中の系統を示す情報を取得し、この情報をもとにバイパス経路１７，１８の１つを選択するように自動的に入力切替器１１、バイパス切替器１３及び出力切替器１４，１６の切替制御を行うようにしている。
【００３１】
従って、近くに運用者が常駐しない場合でも、分配系１２の障害発生時に、系統切替装置１５におけるデジタル放送信号の系統切り替えを継続して行うことができる。
【００３２】
（その他の実施形態）  
なお、この発明は上記各実施形態に限定されるものではない。例えば上記各実施形態では、入力切替手段として、入力切替器１１及びバイパス切替器１３を用いる例について説明した。しかしこれに限ることなく、例えば１個の入力切替器によりデジタル放送信号を分配系１２、バイパス経路１７，１８に選択的に導出するようにしてもよい。
【００３３】
その他、システム構成、切替手順等についても、この発明の要旨を逸脱しない範囲で種々変形して実施できる。
【図面の簡単な説明】
【００３４】
【図１】この発明の第１の実施形態に係わる分配・バイパス切替装置が適用されるデジタル放送信号送出システムの構成を示すブロック図。
【図２】同第１の実施形態において、１系のバイパス経路を選択する場合の切替動作例を示す図。
【図３】同第１の実施形態において、２系のバイパス経路を選択する場合の切替動作例を示す図。
【図４】この発明の第２の実施形態に係わる分配・バイパス切替装置が適用されるデジタル放送信号送出システムの構成を示すブロック図。
【符号の説明】
【００３５】
１１…入力切替器、１２…分配系、１３…バイパス切替器、１４，１６…出力切替器、１５…系統切替装置、１７，１８…バイパス経路、１９…切替制御器、２０，２２…モニタ、２１…障害検出器。
【図１】
2007028317.tif 000003
【図２】
2007028317.tif 000004
【図３】
2007028317.tif 000005
【図４】
2007028317.tif 000006